(57)【特許請求の範囲】
【請求項１】
非同期の第１のクロックと第２のクロックとを、ホットプラグ機能を有するインターフェースケーブルの切断と接続に応じて切り替えるクロック切替回路において、
インターフェースケーブルの切断と接続に対応するインターフェース切断信号を、前記第１のクロックに応答して取り込み、前記インターフェースケーブルが切断される時は、段数回のクロックエッジで最終段のフリップフロップが第１の選択信号を出力し、前記インターフェースケーブルが接続される時は、１回のクロックエッジで最終段のフリップフロップが第１の非選択信号を出力し、前記第１の選択信号に応答して前記第１のクロックを出力し、上記第１の非選択信号に応答して前記第１のクロックの出力を禁止する第１のフリップフロップ群と、
前記インターフェース切断信号を前記第２のクロックに応答して取り込み、前記インターフェースケーブルが接続される時は、段数回のクロックエッジで最終段のフリップフロップが第２の選択信号を出力し、前記インターフェースケーブルが切断される時は、１回のクロックエッジで最終段のフリップフロップが第２の非選択信号を出力し、前記第２の選択信号に応答して前記第２のクロックを出力し、前記第２の非選択信号に応答して前記第２のクロックの出力を禁止する第２のフリップフロップ群とを有し、
前記第１および第２のクロックの周波数の関係に応じて、前記第１のフリップフロップ群より前記第２のフリップフロップ群の段数が多いことを特徴とするクロック切替回路。
【請求項２】
請求項１において、
前記第１のクロックから前記第２のクロックを生成するＰＬＬ回路から、当該第２のクロックを供給され、
前記インターフェースケーブルが接続された時は、前記インターフェース切断信号に応答して前記ＰＬＬ回路の動作を開始し、一定時間後に前記インターフェース切断信号が第２のフリップフロップ群に取り込まれることを特徴とするクロック切替回路。
【請求項３】
請求項２において、
前記インターフェースケーブルが切断された時は、前記インターフェース切断信号に応答して、前記ＰＬＬ回路の動作を停止することを特徴とするクロック切替回路。
【請求項４】
請求項１において、
前記第２のフリップフロップ群の段数が、接続される前記インターフェースケーブルの動作クロックの周波数に応じて、変更設定されることを特徴とするクロック切替回路。
【発明の詳細な説明】
【０００１】
【発明の属する技術分野】
本発明は、IEEE1394やUSBなどのホットプラグ機能を有するインターフェースに対応して内部のクロックを切り替えるクロック切替回路に関し、特に切替時のハザード発生を防止し、安定したクロックの発生を可能にし、内部回路の誤動作を防止したクロック切替回路に関する。
【０００２】
【従来の技術】
近年におけるパーソナルコンピュータは、周辺機器との接続をホットプラグ機能付きのインターフェースで行う。ホットプラグ機能とは、コンピュータや周辺機器をパワーオンした後にインターフェースのケーブルを接続しても、その接続が活性化される機能である。例えば、パーソナルコンピュータを立ち上げた後に、それに接続される被接続機器に対してこのホットプラグ機能付きのインターフェースケーブルが接続されると、被接続機器との接続が活性化され、インターフェースケーブルが切断されると、被接続機器との接続が非活性化される。
【０００３】
この接続の活性化に伴い、被接続機器の内部回路も活性化され、同期クロックに制御された所定の高速処理が実行される。また、ケーブルが切断された後は、接続が非活性化され、被接続機器の内部回路も非活性化される。但し、その後のケーブルの切断に備えて内部回路は最低限の動作を継続する。
【０００４】
【発明が解決しようとする課題】
上記のホットプラグ機能付きのインターフェースであるIEEE1394は、転送レートが400Mbpsと高速であり、画像データの転送などに適したインターフェースである。このインターフェースに対応するために、被接続機器は、内部に水晶発振器の発振クロックを高速化するＰＬＬ回路を有する。そして、被接続機器が活性化されている間、内部回路は、ＰＬＬ回路の高速クロックに同期して一定の処理を行い、被接続機器が非活性の間、内部回路は、低速の水晶発振器の発振クロックに同期して最低限の動作を維持することが望まれる。
【０００５】
このために、被接続機器の内部回路は、インターフェースケーブルの接続と切断に応答して、高速クロックと低速クロックとの切替を行う必要がある。その場合、非同期で位相が一致していない２つのクロックを切り替えることが必要であり、従来の一般的なクロックの切替回路では、切替時のハザードの発生を十分に防止することはできない。
【０００６】
図１は、従来のクロック切替回路の回路図である。このクロック切替回路は、例えば、特開平６−２０９３０９号に記載されるとおり、通信装置等における非同期のクロックの切替に利用される。図１の切替回路によれば、水晶発振器の出力クロックX'talとＰＬＬ回路の出力クロックPLLとが選択信号Selectにより切り替えられる。非同期のクロックX'talと、PLLとの切替時の、誤動作の原因になるハザードの発生を防止するために、水晶発振クロックX'tal側は、フリップフロップF/F(1)、F/F(2)とＡＮＤゲートAND1とを有し、クロックX'talに同期して切替が行われ、ＰＬＬ側も、フリップフロップF/F(3)、F/F(4)とＡＮＤゲートAND2とを有し、クロックPLLに同期して切替が行われる。
【０００７】
図２は、図１のクロック切替回路の動作タイミングチャート図である。選択信号Selectは、インターフェースケーブルが切断された状態ではＨレベル、接続された状態ではＬレベルになる信号である。図２は、インターフェースケーブルが接続された状態から切断状態に変わり、更に接続状態に戻る場合の動作を示す。
【０００８】
図２に示されるとおり、選択信号SelectがＬレベルの接続状態では、切替回路のクロック出力COUTは、ＰＬＬ回路の高速クロックPLLを出力している。そこで、ケーブルが切断され選択信号SelectがＨレベルになると、時間ｔ１のクロックX'talの立ち下がりに応答して、フリップフロップF/F(1)が選択信号SelectのＨレベルを取り込む。その後、時間ｔ２でクロックPLLの立ち下がりに応答して、フリップフロップF/F(3)(4)が選択信号Selectの反転信号（Ｌレベル）を取り込む。これにより、ANDゲートAND2がクロックPLLの出力を禁止し、クロック出力COUTは停止する。更に、時間ｔ３のクロックX'talの立ち下がりに応答して、フリップフロップF/F(2)が選択信号Selectを転送し、ＡＮＤゲートAND1がクロックX'talを通過させる。その結果、クロック出力COUTは水晶発振器のクロックX'talに切り替えられる。
【０００９】
上記のように、選択信号Selectの切り替わりに応答して、無効化されるクロックの切断は１クロック動作で行われ、有効化されるクロックの有効化は２クロック動作で行われ、切り替わり時のハザードの発生を防止する。更に、有効化されるクロックは、そのクロックの位相に同期して有効化されるので、誤動作の原因となるハザードの発生はない。
【００１０】
図３は、図１のクロック切替回路の別の動作タイミングチャート図である。この場合は、クロックPLLがクロックX'talに比較して非常に高速の場合である。この例では、クロックPLLの周波数が水晶クロックX'talの周波数の２倍より大きい場合である。時間t11で選択信号SelectのＨレベルがフリップフロップF/F(3)(4)に取り込まれて、高速クロックPLLの出力が禁止され、時間t12で選択信号SelectのＨレベルがフリップフロップF/F(1)に取り込まれて、時間t13の水晶クロックX'talの立ち下がりエッジで、フリップフロップF/F(1)の出力が次段のフリップフロップF/F(2)に取り込まれ、ゲートAND1が開かれて、出力クロックCOUTに低速の水晶クロックX'talが出力される。
【００１１】
インターフェースケーブルが接続されると、選択信号SelectがＬレベルになる。この状態が、時間t14でフリップフロップF/F(3)に取り込まれ、次の立ち下がりエッジの時間t15で次の段のフリップフロップF/F(4)に取り込まれる。しかし、前述の通り、水晶クロックX'talが高速フリップフロップPLLの周波数の半分未満であるので、時間t15の後の時間t16において、初めてクロックX'talが立ち下がり、フリップフロップF/F(1)(2)がＬレベルのセレクト信号が取り込まれ、低速の水晶クロックX'talの出力が禁止される。従って、図中丸で囲まれた切り替わりでは、出力クロックCOUTにハザードが発生する場合がある。
【００１２】
IEEE1394インターフェースは、400Mpbsと非常に高速であるので、ＰＬＬ回路のクロックと水晶クロックとの関係が図３のような状況になる可能性がある。その場合は、図１の従来のクロック切り替え回路では、出力クロックCOUTが供給される後段の論理回路に誤動作が発生する可能性がある。
【００１３】
更に、インターフェースケーブルの接続に伴い、低速の水晶クロックから高速のＰＬＬのクロックに切り替えられるが、切り替えに伴って動作開始するＰＬＬ回路が不安定なまま切り替えられると、後段の回路に不安定なクロックが供給され、誤動作の原因になる。
【００１４】
そこで、本発明の目的は、ホットプラグ機能付きのインターフェースケーブルを切断または接続した時の、非同期で周波数が大きく異なるクロックを正常に切り替えることができるクロック切り替え回路を提供することにある。
【００１５】
更に、本発明の別の目的は、ホットプラグ機能付きのインターフェースケーブルを接続した時に、動作開始したＰＬＬ回路のクロックを安定状態まで待って、正常に切り替えることができるクロック切替回路を提供することにある。
【００１６】
【課題を解決するための手段】
上記の目的を達成するために、本発明の一つの側面は、非同期の第１のクロックと第２のクロックとを、ホットプラグ機能を有するインターフェースケーブルの切断と接続に応じて切り替えるクロック切替回路において、インターフェースケーブルの切断と接続に対応するインターフェース切断信号を、第１のクロックに応答して取り込む第１のフリップフロップ群と、第２のクロックに応答して取り込む第２のフリップフロップ群とを有する。更に、本発明では、第１のフリップフロップ群は、前記インターフェースケーブルが切断される時は、段数回のクロックエッジで最終段のフリップフロップが第１の選択信号を出力し、前記インターフェースケーブルが接続される時は、１回のクロックエッジで最終段のフリップフロップが第１の非選択信号を出力する。そして、上記第１の選択信号に応答して、第１のクロックが選択されて出力され、上記第１の非選択信号に応答して、第１のクロックの出力が禁止される。また、第２のフリップフロップ群は、前記インターフェースケーブルが接続される時は、段数回のクロックエッジで最終段のフリップフロップが第２の選択信号を出力し、前記インターフェースケーブルが切断される時は、１回のクロックエッジで最終段のフリップフロップが第２の非選択信号を出力する。上記第２の選択信号に応答して、第２のクロックが選択されて出力され、上記第２の非選択信号に応答して、第２のクロックの出力が禁止される。本発明では、前記第１および第２のクロックの周波数の関係に応じた分、第１のフリップフロップ群より第２のフリップフロップ群の段数が多いことを特徴とする。
【００１７】
上記の発明によれば、高速の第２のクロックへの切替は、より段数が多い第２のフリップフロップ群を介して行われるので、従来例のようなハザード発生を防止することができる。
【００１８】
本発明の別の側面は、インターフェースケーブルが接続された時は、インターフェース切断信号に応答してＰＬＬ回路の動作を開始し、一定時間後にそのインターフェース切断信号が第２のフリップフロップ群に取り込まれることを特徴とする。また、インターフェースケーブルが切断された時は、インターフェース切断信号に応答して、ＰＬＬ回路の動作が停止されることを特徴とする。
【００１９】
この発明によれば、高速の第２のクロックへの切替時に、一定時間経過後に安定したＰＬＬ出力クロックを第２のクロックとして出力することができる。また、インターフェースケーブルが切断されると、ＰＬＬ回路が動作停止されるので、無駄な電流消費を防止することができる。
【００２０】
本発明の別の側面は、第２のフリップフロップ群の段数が、外部からの周波数設定信号に応じて可変設定されることを特徴とする。これにより、複数のタイプのインターフェースケーブルに対応したクロック切替回路を提供することができる。
【００２１】
【発明の実施の形態】
以下、図面を参照して本発明の実施の形態例を説明する。しかしながら、かかる実施の形態例が、本発明の技術的範囲を限定するものではない。
【００２２】
図４は、本実施の形態例が適用されるインターフェースケーブルと被接続機器とを示す図である。インターフェースケーブル２０は、例えばIEEE1394やUSBなどのホットプラグ機能を有するインターフェースである。インターフェースケーブル２０が接続または切断される被接続機器３０は、ケーブルが接続されるコネクタ３２を有する。そして、被接続機器３０内には、インターフェースケーブル２０から供給されるデータ信号を処理するＬＳＩデバイス３４が設けられる。
【００２３】
このＬＳＩデバイス３４は、インターフェースケーブル２０の接続と切断を示す切断信号Selectを生成するプルアップ抵抗Ｒを有する。プルアップ抵抗Ｒは、一端が電源Vccに接続され、他端がケーブルの１本のピンに接続される。それに対応するケーブル側の信号線がグランドGNDに接続され、インターフェースケーブル２０が接続された時は、切断信号SelectがＬレベルになり、インターフェースケーブル２０が切断された時は、切断信号SelectがＨレベルになる。この切断信号Selectは、クロック切替回路３６に供給される。
【００２４】
被接続機器３０内には、低速の水晶クロック（第１のクロック）X'talを生成する水晶発振器３３が設けられ、その第１のクロックX'talは、クロック切替回路３６とＰＬＬ回路３８に供給される。ＰＬＬ回路３８は、活性状態の間、第１のクロックX'talに基づいてより高速の第２のクロックPLLを生成する。
【００２５】
クロック切替回路３６は、インターフェースケーブルの切断信号Selectに応じて、水晶クロックX'talかＰＬＬ回路のクロックPLLのいずれかを選択して、出力クロックCOUTとして後段の回路４０，４２に供給する。後段の回路は、例えば、インターフェースケーブル２０から供給されるデータを一端蓄えて後段に供給するFIFOバッファ４０と、そこから供給されるデータを処理する論理回路４２であり、これらの回路は、クロック切替回路３６から供給されるクロックCOUTを動作クロックとして利用して動作する。
【００２６】
図５は、本実施の形態例におけるクロック切替回路の回路図である。図６、７は、インターフェースケーブルが接続から切断に変化した時および切断から接続に変化した時の動作タイミングチャート図である。
【００２７】
図５に示されたクロック切替回路３６は、低速の水晶クロックX'talの選択、非選択を行う第１のフリップフロップ群４３と、高速のクロックPLLの選択、非選択を行う第２のフリップフロップ群４５と、インターフェースケーブル２０が接続された時に、ＰＬＬ回路が安定するまでの一定時間をカウントするカウンタ４４とを有する。図５には、便宜上、ＰＬＬ回路３８も示される。
【００２８】
第１のフリップフロップ群４３は、従来例と同様に、２段のフリップフロップF/F(1),(2)を有し、フリップフロップ間にANDゲート１２が設けられる。更に、第１のフリップフロップ群４３は、最終段のフリップフロップF/F(2)の出力に従って、第１のクロックX'talを通過または停止させるANDゲートAND1を有する。２段のフリップフロップF/F(1),(2)は、インターフェースケーブルが切断された時は、Ｈレベルの内部切断信号CLKSELを、第１のクロックX'talの立ち下がりエッジに応答して取り込み、次の立ち下がりエッジに応答して最終段のフリップフロップF/F(2)が第１の選択信号（Ｈレベル）Ｓ１を出力する。
この第１の選択信号Ｓ１に応答して、ANDゲートAND1が第１のクロックX'talを通過させる。
【００２９】
また、インターフェースケーブルが接続された時は、Ｌレベルの内部切断信号CLKSELを、ANDゲート１２を介して最終段のフリップフロップF/F(2)が取り込み、第１の非選択信号（Ｌレベル）Ｓ１を出力する。この第１の非選択信号Ｓ１に応答して、ANDゲートAND1が第１のクロックX'talの通過を禁止する。
【００３０】
以上のように、第１のフリップフロップ群４３は、インターフェースケーブルが切断されるときは、より多い２回のクロックエッジで第１の選択信号Ｓ１を生成し、インターフェースケーブルが接続されるときは、より少ない１回のクロックエッジで第１の非選択信号Ｓ１を生成する。従って、第１のフリップフロップ群４３は、必ずしも２個のフリップフロップに限定されない。
【００３１】
第２のフリップフロップ群４５は、第１のフリップフロップ群４３よりも多い段数のフリップフロップF/Fを有する。この段数の違いは、第１のクロックX'talと第２のクロックPLLとの周波数の違いに応じて設定される。図５の例では、第２のフリップフロップ群４５は、２Ｎ段のフリップフロップF/F(1a)(1b)〜F/F(Na)(Nb)を有する。そして、フリップフロップ間には、ANDゲート181〜18Nを有し、最終段のフリップフロップF/F(Nb)の出力に応じて、ANDゲートAND2が第２のクロックPLLを通過または停止する。
【００３２】
内部切断信号CLKSELが、インバータ１５を介してフリップフロップF/F（1a）に取り込まれる。従って、インバータケーブルが切断されるときは、内部切断信号CLKSELの反転信号（Ｌレベル）が、ANDゲート１８Ｎを介して最終段のフリップフロップF/F(Nb)に取り込まれ、第２の非選択信号Ｓ２（Ｌレベル）により、ANDゲートAND2が第２のクロックPLLの通過を禁止する。一方、インバータケーブルが接続されるときは、内部切断信号CLKSELの反転信号（Ｈレベル）が、初段のフリップフロップF/F(1a)に取り込まれ、クロックPLLの立ち上がりエッジに応答して、次段に転送される。そして、２Ｎ回のクロックPLLの立ち下がりエッジ後に、最終段のフリップフロップF/F(Nb)が、第２の選択信号Ｓ２（Ｈレベル）を出力し、ANDゲートAND2が第２のクロックPLLを通過させる。
【００３３】
尚、インターフェースケーブルが接続されると、切断信号SelectがＬレベルになり、ＰＬＬ回路３８が活性化されるとともに、カウンタ４４が水晶クロックX'talの立ち上がりエッジをカウントし、所定回数後に出力COをＨレベルにし、内部接続信号CLKSELをＨレベルにする。その時には、ＰＬＬ回路３８は安定した高速の第２クロックPLLを出力する。一方、インターフェースが切断されると、切断信号SelectがＨレベルになり、ＰＬＬ回路３８が非活性になり第２クロックPLLの生成が停止する。そして、NORゲート４６を介してカウンタ４４がプリセットされ、出力COはＨレベルになり、内部切断信号もＨレベルになる。
【００３４】
以上のように、インターフェースケーブルが接続される場合は、ＰＬＬ回路３８が活性化されるとともに、ＰＬＬ回路が安定になるまでカウンタ４４がカウントアップし、安定になった後に、内部切断信号CLKSELが接続状態のＬレベルになる。インターフェースケーブルが切断される場合は、すぐに内部切断信号CLKSELが切断状態のＨレベルになり、第１のクロックX'talの立ち下がりに応答して、ＰＬＬ回路が非活性化される。
【００３５】
図６に従ってインターフェースケーブルが接続状態から切断へ変化するときの動作を説明する。時間t21にて、インターフェースケーブルが接続状態から切断状態に変化する。それに伴い、接続信号SelectがＨレベルに変わる。これに応答して、内部切断信号CLKSELがＨレベルになる。この変化に伴い、時間t22の第２のクロックPLLの立ち下がりエッジに応答して、最終段のフリップフロップF/F(Nb)がＬレベルの第２の非選択信号Ｓ２を出力し、ANDゲートAND2が第２のクロックPLLの出力を禁止する。
【００３６】
時間t23での第１のクロックX'talの立ち下がりに応答して、初段のフリップフロップF/F(1)がＨレベルの内部切断信号CLKSELを取り込み、時間t24の第１のクロックの立ち下がりエッジに応答して、最終段のフリップフロップF/F(2)が内部切断信号CLKSELを取り込み、第１の選択信号Ｓ１をＨレベルにする。それに伴い、ANDゲートAND1を介して、第１のクロックX'talが通過され、出力クロックCOUTは第１のクロックを出力する。また、第１の選択信号Ｓ１のＨレベルに応答して、ANDゲート５０の出力がＨレベルになり、ＰＬＬ回路３８が非活性状態になり停止する。
【００３７】
次に、図７を参照して、インターフェースケーブルが切断から接続に変化する時の動作を説明する。時間t31でインターフェースケーブルが接続状態に変化すると、切断信号SelectがＬレベルになる。このＬレベルによりカウンタ４４がプリセット状態からカウント状態になり、その後の第１のクロックX'talをカウントを開始する。そして、第１のクロックX'talの立ち上がりエッジがカウントされ、時間t32でカウンタ４４はＬレベルの出力COを出力する。それに伴い、内部切断信号CLKSELが接続状態のＬレベルになる。また、切断信号SelectのＬレベルによりＰＬＬ回路３８が活性化され（非パワーダウン状態）、第２のクロックPLLの生成を開始する。即ち、水晶クロックX'talをもとにより高速の第２のクロックPLLが生成される。
【００３８】
内部接続信号CLKSELがＬレベルになると、その反転信号が、時間t33の第２のクロックPLLの立ち下がりエッジに応答して、初段のフリップフロップF/F(1a)に取り込まれる。更に、時間t34の立ち下がりエッジに応答して、２段目のフリップフロップF/F(2a)に転送され、時間t36の立ち下がりエッジに応答して、最終段のフリップフロップF/F(Nb)に転送され、第２の選択信号Ｓ２（Ｈレベル）が出力される。
【００３９】
最終段のフリップフロップが第２の選択信号Ｓ２を出力する前に、第１のクロックX'talの立ち下がりエッジに応答して、初段、２段目のフリップフロップF/F(1)(2)が内部接続信号CLKSELを取り込み、第１の非選択信号Ｓ１（Ｌレベル）を出力し、第１のクロックX'talの出力が禁止される。そして、所定のデッドゾーンの後に、時間t36で第２のクロックPLLがANDゲートAND2で通過し、出力クロックCOUTとして出力される。
【００４０】
以上の通り、インターフェースケーブルが切断されると、非活性状態にあったＰＬＬ回路が活性化され、所定時間後に安定した第２のクロックPLLが出力されると、内部切断信号CLKSELが接続状態（Ｈレベル）になる。この内部切断信号CLKSELに応答して、先に第１のフリップフロップ群４３が第１のクロックX'talの出力を停止し、その後、段数の多い第２のフリップフロップ群４５が高速の第２のクロックPLLの出力を開始する。従って、安定した第２のクロックへの切替を、ハザードを発生することなく、確実に行うことができる。
【００４１】
図８は、第２の実施の形態例におけるクロック切替回路の回路図である。図５と同じ引用番号を与えている。図８のクロック切替回路３６は、第２のフリップフロップ群４５の段数が、周波数選択信号Freq1,2に応じて切替可能になっている点で、図５の回路と異なる。それに伴い、図８のクロック切替回路には段数選択回路５２が設けられている。
【００４２】
図９は、第２の実施の形態例におけるインターフェースケーブルと被接続機器との関係を示す図である。この例では、インターフェースケーブル２０には、そのインターフェースの動作周波数に応じて、スイッチ２１が設けられる。図９の例では、上側にスイッチが設けられているので、周波数選択信号Freq1が選択される。従って、選択回路５２は、より多くの段数後の信号を選択して、ANDゲート１８Ｎに供給する。従って、そのときの動作は、第１の実施例の場合と同じである。
【００４３】
一方、インターフェースケーブル２０が下側にスイッチを有する場合は、周波数選択信号Freq2が選択され、選択回路５２は、２段目のフリップフロップF/F(1b)の出力を選択して、NADゲート１８Ｎに供給する。従って、第２のフリップフロップ群４５は３段のフリップフロップになり、従来例と同様の動作になる。
【００４４】
従って、第２の実施の形態例では、第１のクロックX'talと第２のクロックPLLとの周波数の差に応じて、第２のフリップフロップ群の段数を選択することができ、クロック切替時のデッドゾーンを最適の長さにすることができる。
【００４５】
以上、本発明の保護範囲は、上記の実施の形態例に限定されるものではなく、特許請求の範囲に記載された発明とその均等物にまで及ぶものである。
【００４６】
【発明の効果】
以上、本発明によれば、インターフェースケーブルの切断と接続に応答して、ハザードを発生することなく、低速クロックと高速クロックとの切替を確実の行うことができる。また、インターフェースケーブルが接続される場合は、安定した高速クロックが生成されるまで待って切り替えられるので、クロックを供給される回路の誤動作は防止される。
【図面の簡単な説明】
【図１】従来のクロック切替回路の回路図である。
【図２】図１のクロック切替回路の動作タイミングチャート図である。
【図３】図１のクロック切替回路の別の動作タイミングチャート図である。
【図４】本実施の形態例が適用されるインターフェースケーブルと被接続機器とを示す図である。
【図５】本実施の形態例におけるクロック切替回路の回路図である。
【図６】インターフェースケーブルが接続から切断に変化した時の図５の動作タイミングチャート図である。
【図７】インターフェースケーブルが切断から接続に変化した時の図５の動作タイミングチャート図である。
【図８】第２の実施の形態例におけるクロック切替回路の回路図である。
【図９】第２の実施の形態例におけるインターフェースケーブルと被接続機器との関係を示す図である。
【符号の説明】
２０      インターフェースケーブル
３０      被接続機器
３３      水晶発振器
３６      クロック切替回路
３８      ＰＬＬ回路
４３      第１のフリップフロップ群
４４      カウンタ
４５      第２のフリップフロップ群
【図１】
0004326100.tif 000002
【図２】
0004326100.tif 000003
【図３】
0004326100.tif 000004
【図４】
0004326100.tif 000005
【図５】
0004326100.tif 000006
【図６】
0004326100.tif 000007
【図７】
0004326100.tif 000008
【図８】
0004326100.tif 000009
【図９】
0004326100.tif 000010